(57)【要約】  【課題】各自のコップ類やタオル類を衛生的にかつ乾き易いように掛けておき、風邪やインフルエンザなどの感染防止にも適した、多用途型のコップ類スタンドに関する。  【解決手段】円周状上向きポールユニットと、吸水用若しくは乾燥用の布類又は紙類を拡げられる受け棚ユニットと、タオル、手拭い又はハンカチを掛けるタオル等掛け手段を放射状に設けたタオル等掛けユニットとを有しており、それぞれのハブに中心軸が挿通されているため、各人の使用するコップ類を個別に逆さに掛けられると共に、タオル等も各使用者ごとに別々に独立して掛けることができ、特に各タオル等掛け手段が放射状に配設されているので、他人のタオル等と接することがなく、衛生的で、インフルエンザなどの感染防止も確実となる。コップ類から滴下した水滴は、受け棚ユニット上の布類や紙類で受けて吸収されるので、下側に干してあるタオル等が濡れることはない。【選択図】図４
2010187715.tif 000002
【特許請求の範囲】
【請求項１】
複数の上向きポール状体が円周状に配設されている円周状向きポールユニットのハブに中心軸を挿通してあり、
吸水用若しくは乾燥用の布類又は紙類を拡げられる受け棚ユニットと、
タオル、手拭い又はハンカチを掛けるタオル等掛け手段を放射状に設けたタオル等掛けユニットとを有しており、
前記各ユニットのハブに前記中心軸が挿通されていることを特徴とするコップ類スタンド。
【請求項２】
前記の受け棚ユニットを放射状の取付けバーで構成すると共に、下段のタオル等掛けユニットの各タオル等掛けバーの間に、前記の各取付けバーを位置させることによって、各取付けバーを利用して隔離シートを支持させ垂下可能としたことを特徴とする請求項１に記載のコップ類スタンド。
【請求項３】
前記のタオル等掛けユニットにおける各タオル等掛けバーは、折り畳み可能な構造であることを特徴とする請求項１または請求項２に記載のコップ類スタンド。
【発明の詳細な説明】
【技術分野】
【０００１】
本発明は、水や清涼飲料、ビール、茶などを飲んだりするのに多用されるコップ、マグカップ、湯飲み茶碗、哺乳瓶などのような底の深い飲用容器すなわちコップ類を、洗浄後の水切れが良いように逆さに掛けたり、使用後に水切り状態で掛けたり、各自のコップ類やタオル類を衛生的にかつ乾き易いように掛けておき、風邪やインフルエンザなどの感染防止にも適した、多用途型のコップ類スタンドに関する。
【背景技術】
【０００２】
特許文献１において、マグカップやガラスコップの洗浄後の保持乾燥器具として、その図１のように、各カップ１をカップ内底２が下方に向いた状態でフック５に引掛け、吊り下げライン３の上端をキッチン用品吊り下げバー４に懸架してカップホルダー全体を保持するカップホルダーが提案されている。
【先行技術文献】
【特許文献】
【０００３】
【特許文献１】特開２００３−２５９９６０
【発明の概要】
【発明が解決しようとする課題】
【０００４】
特許文献１のような構造の場合、「（１）キッチンの机上面積を占有しない。（２）流し台の真上にセットすることができ炊事時の動線を短くする。（３）グラスやカップの気に入った装飾模様がキッチンの雰囲気を明るくする。」といった効果を奏するが、例えば業務用などのように、洗浄し乾燥させるコップ類が多数有る場合は、多数同時処理することができず、不便である。
特に、高齢者が病院や老人ホームなどで院内感染や集団感染するといった社会問題が発生しており、また新型インフルエンザの流行による大量死などの問題が恐れられているが、このような感染を防止する上でも、多人数で使用する大量のコップ類やフォーク、スプーン、箸などの食事用器具を洗浄乾燥する場合は、確実に洗浄しかつ迅速に乾燥させて、清潔にかつ衛生的に取り扱うことが必要となる。
【０００５】
また、集団風邪による学級閉鎖や新型インフルエンザの大流行を未然に防止又は抑止する上では、各人が使用するコップ類やタオル等などを隔離することが有効であるが、特許文献１記載の構造では、不十分である。
本発明の技術的課題は、このような問題に着目し、多数のコップ類を同時に洗浄し乾燥させるのに便利で、しかもフォークやスプーン、箸なども同時に洗浄・乾燥することが可能な洗浄乾燥用のコップ類スタンドを実現することにある。
また、特に感染防止にも有効なように、清潔かつ衛生的に迅速乾燥したり、取り扱うことができ、家庭用のように少人数用の場合は、各人が使用するコップ類やタオル等などを容易に隔離できると共に、各所有者の識別が容易で、かつ家庭の温かみや安らぎ、癒しを感じられるように、装飾機能も兼備可能な多機能型のコップ類スタンドを実現することにある。
【課題を解決するための手段】
【０００６】
本発明の技術的課題は次のような手段によって解決される。請求項１は、複数の上向きポール状体が円周状に配設されている円周状向きポールユニットのハブに中心軸を挿通してあり、
吸水用若しくは乾燥用の布類又は紙類を拡げられる受け棚ユニットと、
タオル、手拭い又はハンカチを掛けるタオル等掛け手段を放射状に設けたタオル等掛けユニットとを有しており、
前記各ユニットのハブに前記中心軸が挿通されていることを特徴とするコップ類スタンドである。
このように、円周状上向きポールユニットと、吸水用若しくは乾燥用の布類又は紙類を拡げられる受け棚ユニットと、タオル、手拭い又はハンカチを掛けるタオル等掛け手段を放射状に設けたタオル等掛けユニットとを有しており、それぞれのハブに中心軸が挿通されているため、各人の使用するコップ類を個別に逆さに掛けられると共に、タオル等も各使用者ごとに別々に独立して掛けることができ、特に各タオル等掛け手段が放射状に配設されているので、他人のタオル等と接することがなく、衛生的で、インフルエンザなどの感染防止も確実となる。
また、ポール状体に掛けたコップ類から滴下した水滴は、受け棚ユニット上に拡げた布類や紙類などで受けて吸収されるので、下側のタオル等掛けユニットに干してあるタオル等が濡れることはない。なお、受け棚ユニット上に合成樹脂シートや新聞紙などを拡げてもよい。
【０００７】
請求項２は、前記の受け棚ユニットを放射状の取付けバーで構成すると共に、下段のタオル等掛けユニットの各タオル等掛けバーの間に、前記の各取付けバーを位置させることによって、各取付けバーを利用して隔離シートを支持させ垂下可能としたことを特徴とする請求項１に記載のコップ類スタンドである。隔離シートは、例えばネットや布、合成樹脂シートなどで構成できる。
このように、前記の受け棚ユニットを放射状の取付けバーで構成すると共に、下段のタオル等掛けユニットの各タオル等掛けバーの間に、前記の各取付けバーを位置させることによって、各取付けバーを利用して隔離シートを支持させ垂下可能としたため、垂下状態の隔離シートは、下段の各タオル等掛けバーに支持されている各隣接タオル等との間に垂下することになる。
その結果、隣接する他人のタオル等との間に、垂下状態の隔離シートが介在することで、確実に隔離できるので、隣接する他人のタオル等と接して、インフルエンザなどが感染したりするのを防止でき、衛生的である。
【０００８】
請求項３は、前記のタオル等掛けユニットにおける各タオル等掛けバーは、折り畳み可能な構造であることを特徴とする請求項１または請求項２に記載のコップ類スタンドである。折り畳み構造は、実施形態に限られず、公知の各種の折り畳み構造を採用してもよい。
このように、前記のタオル等掛けユニットにおける各タオル等掛けバーは、折り畳み可能な構造であるため、タオル等掛けとして使用しない場合は、折り畳んでおくとコンパクトになり、不使用時の保管や運搬も簡便になる。
【発明の効果】
【０００９】
請求項１によると、各人の使用するコップ類を個別に逆さに掛けられると共に、タオル等も各使用者ごとに別々に独立して掛けることができ、特に各タオル等掛け手段が放射状に配設されているので、他人のタオル等と接することがなく、衛生的で、インフルエンザなどの感染防止も確実となる。また、ポール状体に掛けたコップ類から滴下した水滴は、受け棚ユニット上の布類や紙類で受けて吸収されるので、下側のタオル等掛けユニットに干してあるタオル等が濡れることはない。
【００１０】
請求項２によると、各取付けバーから垂下状態の隔離シートは、下段の各タオル等掛けバーに支持されている各隣接タオル等の間に垂下することになるので、隣接する他人のタオル等との間に、垂下状態の隔離シートが介在することで、確実に隔離され、隣接する他人のタオル等と接して、インフルエンザなどが感染したりするのを防止でき、衛生的である。
【００１１】
請求項３のように、タオル等掛けユニットの各タオル等掛けバーは、折り畳み構造であるため、タオル等掛けとして使用しない場合は、折り畳んでおくとコンパクトになり、不使用時の保管や運搬も簡便になる。
【図面の簡単な説明】
【００１２】
【図１】円周状上向きポールユニットが複数段有り、上段ユニットが上下スライドする構造の斜視図である。
【図２】上段ユニットと下段ユニットが上下スライド不可能に固定された構造と着脱補助具を示す斜視図である。
【図３】吊り下げタイプのコップ類スタンドの別の実施形態で、受け棚を最下段に有している斜視図である。
【図４】図３の受け棚ユニットの下段にタオル等掛けユニットを設けた実施形態の斜視図である。
【図５】（１）は、図４の受け棚ユニットと下段のタオル等掛けユニットの平面図、（２）は、（１）図の構造の使用状態を外側から見た展開図である。
【発明を実施するための形態】
【００１３】
次に本発明によるコップ類スタンドが実際上どのように具体化されるか実施形態を説明する。図１は、円周状上向きポールユニットがＵ１、Ｕ２のように複数段有り、しかも上段のユニットＵ２が上下スライドでき、かつ矢印ａ２のように回転する構造であるのに対し、図２は上段のユニットＵ２と下段のユニットＵ１が相対的に上下スライド不可能に互いに固定された構造である。
Ｐはコップ類Ｃを掛けるポール状体であって、円周状に配設されており、しかも上向きに立った状態になっている。各ポールＰの角度は任意であり、図１における下段のポールＰは鉛直状にほぼ真っ直ぐに立っているのに対し、上段のポールＰは、外角が４５度程度に傾斜し、全体的に上向きに開いている。長さ（高さ）も任意であり、上段のポールＰは一定に揃っているのに対し、下段のポールＰは長短様々で、高さの低いポールＰには、底の浅いコップＣ１を逆さにして被せるようにして支持してある。
高いポールＰには、哺乳瓶Ｂのように深い容器を逆さに支持してある。Ａは、コップ状の水切り容器で、図２のように、箸立てのように、箸やフォーク、スプーンなどの食事用器具を洗浄後に挿入し立てて乾燥させる際に使用する。従って、底部は複数の孔８が開いていて、底部の水が容易に流出可能にしてある。
【００１４】
各ポールＰは、直径Ｄの外リングＲ１に固定され、その外部から立ち上がっている。このように、上向きのポール状体Ｐ…が円周状に立った状態になっているので、円周状上向きポールユニットと呼ぶ。
大径の外リングＲ１の内側に同心円状に小径ｄの内リングＲ２が配設されていて、複数本のポールＰ…の取付け部３…が、大小のリングＲ１、Ｒ２に対し放射状に取付け固定されている。取付け手段は、圧接や溶接でも、ロウ付けやハンダ付けでもよく、特に限定されない。
パイプ状の中心軸１を挿通したハブ２に、前記の各ポールＰ…の取付け部３…の中心部を取付け固定してあり、下部にハブキャップ４を被せて固定してある
【００１５】
下段のハブ２は、中心軸１に固定されているのに対し、上段のハブ２は、上下方向にスライド可能に、かつ矢印ａ２のように回転可能に、中心軸１が挿通されている。この上段ハブ２の下降位置を規定するためのストッパー５をパイプ状の中心軸１中に対し出没可能に取付けてある。
すなわち、ストッパー５は、中心軸１中に内蔵されているバネ手段で常時突出していて、上段のストッパー５のように、上段のユニットＵ２を下降しないように受け止めている。指でストッパー５を中心軸１中に押し込んで引っ込めると、上段ユニットＵ２が下降して、下段のストッパー５の上に支持される。下段のストッパー５も押し込むと、上段ユニットＵ２はさらに下降して、下段ユニットＵ１の上に重なる。その結果、最もコンパクトな状態となり、保管や運搬が容易になる。
【００１６】
このコップ類スタンドの使用に際しては、中心軸１の上端のフックｆを、通風性の良い又は熱風が吹き、食器類の乾燥に有利な位置に引っ掛けて全体を吊り下げた状態において、コップＣ、Ｃ１や哺乳瓶Ｂ、箸立て状の水切り容器Ａなどを、上下のユニットＵ１、Ｕ２の各ポールＰ…の総てを利用し、被せるように支持させることによって、洗浄後の水切りと乾燥を行なう。なお、一部のポールＰのみ使用状態を図示してある。
上段のユニットＵ２が高過ぎる場合は、ストッパー５を押し込んで、上段ユニットＵ２を下降させて、下段ユニットＵ１の上に重ねた状態で、上段ユニットＵ２の各ポールＰにコップ類を掛けて支持した状態で、図示のように上段のストッパー５の上側まで押し上げることによって、高い位置で乾燥させることができる。また、上段ユニットＵ２を矢印ａ２方向に回転させて、作業し易いように手前に移動させた状態で、コップ類を掛けたり、取り外したりもできる。
上段のストッパー５では高過ぎる場合は、下段のストッパー５の位置まで下降させて、下段のストッパー５の高さで乾燥させることもでき、所望のストッパー５を選択試用できる。
【００１７】
ポールＰの本数が足りない場合は、鎖線Ｐ’のように、隣接するポールＰ・Ｐ間に補助ポールＰ’を増設して、大小のリングＲ１、Ｒ２に半径方向に取付け固定することもできる。このようにポールの本数が倍増すると、２倍のコップ類を乾せるし、隣接ポール間に直径方向にまな板や杓子などを挿入して挟んだ状態で乾燥させたりもできる。
下段のユニットＵ１のように、丈高のハブ２の上端と内リングＲ２との間にテーパ状に多数のワイヤーＷを張設してあると、多数のワイヤーＷ…に鎖線で示す皿６を立てかけた状態で乾燥させることもできる。皿６の下端を外リングＲ１の内側に挿入すると、皿６両端は隣接する取付け部３・３間に位置決めされるので、安定よく保持される。
なお、下段ユニットＵ１も、中心軸１に対し上下スライドしたり、矢印ａ２方向に回転可能に構成することも可能である。
【００１８】
箸やフォーク、スプーンなどの水切り容器Ａが無い場合は、その代用が必要であるが、上段のユニットＵ２は、各上向きポール状体Ｐ…が上向きに開いているので、その上に布巾やキッチンペーパなどを敷けば、その上に、洗浄後の箸やフォーク、スプーンなどを載せて、水切りし乾燥させることもできる。洗浄後の箸置き、その他の小物を入れることもできる。
【００１９】
図２は卓上載置タイプのコップ類スタンドで、下段ユニットＵ１の各ポールＰ１は、大径の外リングＲ１の位置から立ち上がり、上段ユニットＵ２はの各ポールＰ２は、小径の内リングＲ２の位置から立ち上がっている。そして、下段のポールＰ１と上段のポールＰ２とが、一体のポール状材（線材を含む）からなり、しかも上段の小径ポールＰ２は、下段の隣接大径ポールＰ１・Ｐ１の中間に位置するように、円周方向にずらした状態で、折り曲げ形成されている。従って上から見ると、上下のポールＰ２・Ｐ１が内外にジグザグ状にずれている。
このように、上段のポールＰ２…は下段のポールＰ１…の中間に配設され、かつ内外にもずれているので、大形のコップ類をポールに被せて支持する場合でも、互いに邪魔になることはない。なお、上段の小径ポールＰ２を、下段の大径ポールＰ１より外側で折り曲げて立ち上げることにより、内外にジグザグ状にずらすこともでき、下段の大径ポールＰ１と同径の位置で立ち上げることも可能（この場合はジグザグ状にならない）である。
図１のように、上段ユニットＵ２が上下スライドできる場合は、邪魔にならないように、下段ユニットＵ１との間隔を拡大できるので、特に支障は生じないが、図２の一体型では、上下のユニットＵ２・Ｕ１間の間隔の拡大は不可能である。その結果、全体的に小型化できる。
【００２０】
上段ユニットＵ２の連結リングＲ２よりも下段ユニットＵ１の外リングＲ１が大径で、コップ類スタンド全体の安定性が良いため、テーブルや各種台や流しなどの上に載置して使用することもできる。
中心軸１の上端に鎖線で示すようにフックｆを設けると、図１の場合と同様に吊り下げ式も可能である。
下段ポールＰ１と上段ポールＰ２との中間の取付け部３を、リングＲ３、Ｒ４、Ｒ５でハブ２に締め付け固定してあり、かつ要所を溶接やハンダ付け、ロウ付け固定してある。
中心軸１がハブ２中で上下スライドしたり回転可能にしておくと、吊り下げて使用する際に、ハブ２を押し上げてストッパー５を通過させ、ストッパー５の上に、上下段が一体型のコップ類スタンド全体を支持させることもできる。従って、コップ類スタンドの高さは任意に選定できる。
【００２１】
使用に際しては、各ポールＰ１…Ｐ２…Ｐ…Ｐ’…にコップ類を被せるように支持させて洗浄後の乾燥ができるが、箸やフォーク、スプーンなどの食事用器具の乾燥もできる。
箸立て状の水切り容器Ａは、外壁に固定した小径筒体７を有しており、小径筒体７を各ポールに被せると、その天井部７１によって、水切り容器Ａが支持されるので、コップ状の水切り容器Ａ中に箸やフォーク、スプーンなどの食事用器具を挿入して乾燥させることもできる。
小径筒体７として、天井部７１の無い、貫通型を用いて、各ポールを貫通させることも可能である。この場合は、各ポールの下部に小径筒体７を介して水切り容器Ａが保持されることになる。
なお、水切り用容器Ａの底部は複数の貫通孔８が開いていて、内部に水が溜まらないようにしてある。
【００２２】
（２）図のような着脱補助具９を使用すると、フォークやスプーンなどを単独で各ポールに取付けたり、取り外したりできる。
着脱補助具９は、フォークやスプーンなどの首部ｎを挿入できる環状部91から伸びた両腕部に、各ポールを挟持する凹円弧状部９２、９３を有し、先端９４、９５はポールＰ１やＰ２、Ｐを挿入し易いように開いている。
使用に際しては、矢印ａ１方向からフォークやスプーンなどの首部ｎを環状部91中まで挿入した状態で、矢印ａ１方向から所望のポールＰ１やＰ２、Ｐが入るように押し込むと、凹円弧状部９２、９３間にポールＰ１やＰ２、Ｐを挟持することによって、フォークやスプーンなどが所望のポールに取付け支持される。
【００２３】
このようにして着脱補助具９を使用すれは、各ポールにフォークやスプーンなどの首部ｎを取付け支持することによって、環状部91でフォークやスプーンなどを１個ずつ支持できるので、水切り容器Ａを使用しないで、フォークやスプーンなどを１本ずつでも乾燥できて迅速乾燥できるし、フォークやスプーンなどの入った水切り容器Ａでバランスを崩すのも防止できる。
図２（２）における着脱補助具９を、各ポールＰ１・Ｐ２・Ｐ・Ｐ’の下部に装着すれば、同一ポールにコップ類も被せて支持させ、併用もできるし、着脱補助具９を上下２〜３段に取付けることもできる。
また、単一の環状部91や凹円弧状部９２、９３間に、フォークやスプーンなどを複数本ずつ支持することも可能である。
【００２４】
図２（２）における支持ポールＰ１とフォークやスプーンの首部ｎの挿入位置を逆にして、図２（３）のような使い方も可能である。この場合は、ポールＰ１を着脱補助具９’の奥の環状部91中まで挿入して取付け支持してから、フォークやスプーンなどの首部ｎを凹円弧状部９２、９３間に先端の開放部９４、９５間から挿入する。着脱補助具９・９’は、例えば５〜２０ｍｍ程度の高さｈが有った方が安定性が良い。なお、鎖線はスプーンを例示している。
着脱補助具９・９’は、合成樹脂製でも金属製（板金製）でも可能である。
【００２５】
図３は、吊り下げタイプのコップ類スタンドの別の実施形態で、受け棚１０を最下段に有している。
下段ユニットＵ１のポールＰ１と上段ユニットＵ２のポールＰ２とが一体の線材又はポール状材からなり、しかも上段のポールＰ２は、下段の隣接ポールＰ１・Ｐ１の中間に位置するように、円周方向にかつ内外にずらして配設されるように、折り曲げ形成されている点は、図２と同じである。
中心軸１の下端には受け棚１０のハブ２を取付け固定してあるので、受け棚１０の上に布巾やキッチンペーパ１１、１２などを拡げて置くと、上下の各ポールＰ２…、Ｐ１…にコップ類を被せて乾燥させる際に、水滴が滴下しても、受け棚１０上の布巾やキッチンペーパ１１、１２などに吸水されるので、下を通過する人や床に水滴が滴下して、濡らすといった問題が防げる。
図示例では、受け棚１０の左側半分に布巾１１を載せ、右側半分に布巾１２を載せてある。
【００２６】
受け棚１０は、図１、図２におけるポールの外リングＲ１より外側に突出した部分を切除した形状になっている。
この受け棚１０は、各ポールに支持されたコップ類から滴下する水滴を確実に受けられるように、充分に広くすることは当然である。
コップ類の乾燥後は、布巾やキッチンペーパなどを敷く必要な無いので、受け棚１０の内外のリングＲ１、Ｒ２を装飾品の吊り下げに兼用できる。例えば、使用しなくなったネックレスやブレスレットなどの鎖類をリングＲ１に吊り下げたり、ブローチやイヤリングなどを吊り下げたりして、家事をしながら眺めることによって、ゴージャスな雰囲気を楽しむことができる。
なお、布巾やキッチンペーパなどで確実に吸水できると、吊り下げてある装飾品が濡れることもないので、常時吊り下げておけることは言うまでもない。
【００２７】
図２のような、箸やフォーク、スプーンなどの水切り容器Ａが無い場合は、受け棚１０上に敷いた布巾やキッチンペーパ１１、１２などの上に、洗浄後の箸やフォーク、スプーンなどを載せて、水切りし乾燥させることもでき、洗浄後の箸置き、その他の小物を載せて乾燥させることもできる。
また、図１の上段ユニットＵ２のように、上向きポール状体が外側に倒れていて、全体的に上向きに開いている場合は、その中に布巾やキッチンペーパなどの吸水性のシート状体を敷いておくと、図３の受け棚１０の代用となり、洗浄後の箸やフォーク、スプーン、箸置き等を入れて乾燥させることもできる。外リングＲ１に、使用しなくなったネックレスやブレスレットなどの鎖類、ブローチやイヤリングなどを吊り下げたりもできることは、受け棚１０の場合と同様である。
なお、図１の上下のユニットＵ２とＵ１を入れ替えて、上向きに開いたユニットを下段に配置することも可能である。
【００２８】
各ポールＰ１、Ｐ２間の取付け部３を取付け支持するハブ２は、中心軸１に対し上下スライド可能な構造でも、固定構造でも可能である。上下スライドする構造の場合は、同時に回転も可能にすると、常に手前の位置でコップ類を着脱できるように、着脱されるポールを図１の矢印ａ２のように手前側に回転させることもでき、着脱操作が簡便になる。
台や卓上に載置する場合は、植木鉢用や食器用などの各種の受け皿の上に載置すれば、布巾類を敷く必要は無い。
なお、図１〜図３における中心軸１を、伸縮可能な構造とすることによって、フックｆをより高い位置に着脱したり、各段のユニットＵ１、Ｕ２の高さを自由に設定でき、取り扱いが簡便になる。
【００２９】
図４は、図３の受け棚１０の下側の段に、タオル等掛けユニットＴを配設して、そのハブ２に中心軸１を挿通してある。このタオル等掛けユニットＴは、バー状や幅細板状、平行バー状などのタオル等掛けバー１３を放射状に配置して、それぞれの根元部をハブ２に取付け固定又は回転可能に取付け支持してある。
各タオル等掛けバー１３は、１本の太めの針金などのバー状体でも足りるが、図示のように間隔をおいて２本平行に配設し、先端はＵ字状に折り曲げ形成すると、タオル等を掛けた際に、隙間ができて通風性が良くなるので、乾燥が速い。
各タオル等掛けバー１３の中間位置と下側の支持ハブ２１との間に斜めのつっかいバー１４を取付けておくと、濡れたタオル等を干した際に重みでタオル等掛けバー１３が曲がったりするのを防止できる。
【００３０】
つっかいバー１４は、図示状態に常時固定しておくと共に、小径リングＲ２に各タオル等掛けバー１３…も固定しておくと、堅牢になる。
あるいは、支持ハブ２１を上下スライドさせることによって、つっかいバー１４を折り畳んだり、図示のように斜めに組み立てたりもできる。このような折り畳み構造の場合は、つっかいバー１４の上下両端は、支軸を介して、回転可能に構成されていることは言うまでもない。各タオル等掛けバー１３…と小径リングＲ２とも固定せずに、分離可能にしておく。
前記の円周状上向きポールユニットＵ１、受け棚ユニット１０、タオル等掛けユニットＴの中心のハブ２と支持ハブ２１は、出没構造の各ストッパー５…の上に支持してある。従って、ストッパー５を押し込んで引っ込めると、支持ハブ２１を下向きにスライドさせて、つっかいバー１４とタオル等掛けバー１３を折り畳むことができる。
このようにしてストッパー５を引っ込めると、ハブ２と共に円周状上向きポールユニットＵ１、受け棚ユニット１０、タオル等掛けユニットＴを中心軸１から抜き取って、上下位置を交換したりもできる。
中心軸１中に配線コード１５を挿通して、中心軸１下端に豆電球などの小型ランプ１６を取付け、中心軸１上端から引き出しコードにコンセント１７を接続しておけば、中心軸１下方の狭い範囲の照明が可能となり、洗面所や厨房の全体を照明する必要がなくなるので、節電にもなる。
【００３１】
風邪やインフルエンザが流行っている場合は、各タオル等掛けバー１３に掛けてある自分のタオルやハンカチが他人用と接すると感染の恐れがあるので、図５のように、隣接するタオル等との間に隔離シートを垂下させておくと万全である。
図５（１）は、図４の受け棚ユニット１０と下段のタオル等掛けユニットＴの平面図で、各タオル等掛けバー１３の間に受け棚ユニット１０を構成する放射状の取付けバー３１が位置している。ネットや合成樹脂シートなどから成る隔離シートＳは、隣接する２本の取付けバー３１・３１の上に跨がる状態で掛けておく。放射状の取付けバー３１に隔離シートＳを掛けられるように、大径の外リングＲ１は省いてある。なお、ネットでは空気感染の恐れがある場合は、空気の通過しない合成樹脂シートが良い。布製のシートやカーテンなどは中間の効果がある。
（２）図は、（１）図のタオル等掛けユニットの使用状態を外側から見た状態を展開して示した側面図で、タオル等掛けバー１３に掛けた各自のタオルｔを囲うように、上段の受け棚ユニット１０の隣接する２本の取付けバー３１・３１の上に跨がるように隔離シートＳを掛けてある。
この場合は、図示のように、すべてのタオル等掛けバー１３を隔離シートＳで囲う必要はなく、一つおきで足りる。取付けバー３１は２本一組で隔離シートＳを掛けるので、隔離シートＳで囲われないタオル等掛けバー１３は、隣接する隔離シートＳの垂下部によって、隣接するタオルｔと隔離され、特に問題はない。ただし、上側は隔離シートＳで囲われないが、隣接タオルｔとの間は遮断されるので、感染防止の効果は損なわれない。なお、各タオルｔと隔離シートＳとの間には充分な間隔が有って通風性が良いので、タオルｔの乾燥には問題無い。
【００３２】
各取付けバー３１がタオル等掛けバー１３の中間位置に来るように位置決めする必要があるが、受け棚ユニット１０のハブ２とタオル等掛けユニットＴのハブ２の下面に、ストッパー５の上端が入る凹溝を形成しておくだけで足りる。すなわち、ハブ２下面の凹溝にストッパー５上端が嵌入すると、ハブ２は回転できず、位置決めが固定されるので、タオル等掛けバー１３と取付けバー３１とが互い違いになるように、凹溝の位置を設定しておくだけで足りる。
取付けバー３１で隔離シートＳを支持し垂下させる場合は、隔離シートＳを装着した後に、布巾やキッチンペーパ１２、１３を被せて敷けば足りるので、受け棚ユニットとしての機能が損なわれることはない。この場合、取付けバー３１…の上に金網等を載せて、その上に布類や紙類１２、１３を拡げれば、安定性が良くなる。布類や紙類１２、１３に代えて合成樹脂シートや新聞紙などを載せてもよい。
【００３３】
図４の変形例として、図示の受け棚ユニット１０を下降させて、タオル等掛けユニットＴの上に直接重ねて使用することもできる。あるいは、鎖線のようにストッパー５を中間にも多数設けておけば、受け棚ユニット１０とタオル等掛けユニットＴとの間隔を自由に設定できる。
また、受け棚ユニット１０の取付けバー３１を兼用しないで、タオル等掛けユニットＴのハブ２の上に、別のハブを重ねるか、ハブ２自体を高くすると共に、隔離シート専用の取付けバー３１を装備しておくことによって、タオル等掛けユニットＴと隔離シート取付けユニットを一体化またはセットにすることも可能である。
この場合、タオル等掛けバー１３に対するタオル等の掛け外しが不便になる恐れがあるので、タオル等掛けユニットＴと各取付けバー３１との間隔が大きくなるように寸法設定しておく必要がある。
なお、２本の取付けバー３１・３１の上に跨がるように隔離シートＳを掛ける代わりに、各取付けバー３１ごとに隔離シートＳの上端を取付けて垂下させることもできる。以上の隔離シートＳを掛けない場合は、図３のように、各放射状の取付けバー３１の外端寄りを大径の外リングＲ１と固定して安定化させるのがよい。
【００３４】
以上の実施形態において、上向きのポール状体Ｐ１・Ｐ２・Ｐ・Ｐ’は、コップ類Ｃを逆さに掛けられるような強度が有り、コップ類を掛けやすいように上向きのポール状（棒状やバー状、スティック状を含む）をしておれば足りる。太めの針金などのような、断面形状が円形の線材が多いが、多角形状でも差し支えない。強度的には、金属製が適しているが、太めにすれば、合成樹脂製でも可能である。必ずしも直線状である必要はなく、湾曲状や折れ曲がっていても差し支えない。
各ポール状体Ｐ１・Ｐ２・Ｐ・Ｐ’の上端には球状体を設けて、球面に形成してあるので、コップ類を被せても、内面が傷つくことはない。美観にも優れている。なお、製法は、各ポール状体と一体成型してもよいが、別体の合成樹脂製の球体を取付けてもよい。
【産業上の利用可能性】
【００３５】
以上のように、本発明によると、多数のコップ類を同時に洗浄し乾燥させることができ、しかもフォークやスプーン、箸なども同時に洗浄・乾燥することも可能である。低い位置でコップ類を円周状上向きポールユニットの各ポールに取付けてから、乾燥時にはより高い位置など、所望の位置にセッティングでき、回転させることによって常に手前でコップ類を着脱することもできる。
特に、フォークやスプーン、箸などは、水切り容器に入れないで、１本ずつ各ポールに支持して通気性と乾燥性を良くすることで、短時間に乾燥させることもできる。以上のように、大量のコップ類や食事用器具を洗浄後に迅速に乾燥させ、衛生的に取り扱うことができ、感染防止にも有効である。
洗浄後に限らず、各人が水飲みやうがいなどに使用後に、自分専用のコップ類を水切り状態に掛けておいたり、各自専用のタオル類やハンカチなども使用後に、他人のタオル等と接しないように、衛生的に隔離して掛けておくことによって、風邪やインフルエンザなどの感染を未然に防止することもできる。従って、飲食店の厨房や食品製造所などの洗面所などでも重宝される。
また、業務用では装飾を省いて機能性を重視し、大量処理に適した構造とし、家庭用の場合は、洗浄乾燥したり、水飲みやうがい、歯磨きをするコップ類が少ないので、装飾を多くして、シャンデアリ風にすることによって、ゴージャスな雰囲気を楽しむこともできる。なお、図４の上向きポールＰ１、Ｐ２に図１のコップ状の水切り容器Ａを取付けて、自分の歯ブラシを入れておくこともできる。
仕舞い込んである使い古しのネックレスなどの装身具を、各人専用のコップ類やタオル等の掛けバー１３の根元や上向きポール状体Ｐの下端やその取付け部３、３１の根元などに取付けておくと、名札代わりとなり、他人のコップ類やタオル等との区別が容易になって衛生的で、間違えることによる感染などをより確実に防止でき、かつ装飾も兼ねることができる。従って、洗面所などに装備しておくと、衛生目的でありながら、家庭の温かみや潤い、癒しを演出することもできる。
飲食店や食品製造所などの職場では、高価な装身具などを取付けることは適しないので、名札等で自他のコップ類やタオルを区別することになるが、このように区別可能になれば、紙コップやプラスチックコップなども繰り返し使用することで省資源が可能となり、ペーパータオルなどの消費も節減でき、自然環境保全や二酸化炭素の排出削減にもつながる。
【符号の説明】
【００３６】
Ｕ１・Ｕ２  円周状上向きポールユニット
Ｐ１・Ｐ２・Ｐ・Ｐ’  上向きのポール状体
Ａ  コップ状の水切り容器
Ｒ１  大径の外リング
Ｒ２  小径の内リング
１  中心軸
２  ハブ
３  放射状の取付け部
５  ス１ッパー
Ｃ・Ｃ１  コップ
ｆ  フック
７  小径筒体
９・９’  着脱補助具
１０  受け棚
１１・１２  布巾やキッチンペーパ
Ｔ  タオル等掛けユニット
３１  取付けバー
１３  タオル等掛けバー
１４  つっかいバー
２１  支持ハブ
【図１】
2010187715.tif 000003
【図２】
2010187715.tif 000004
【図３】
2010187715.tif 000005
【図４】
2010187715.tif 000006
【図５】
2010187715.tif 000007